(57)【要約】【課題】光源部からの光の検出値として高精度な検出値をより確実に得ることができる技術を提供する。【解決手段】本発明の発光装置は、光源部と、光源部からの光を検出する光センサと、光センサに対応する温度を検出する温度センサと、温度検出値に基づいて、光センサの温度変化に起因した光検出値の変化が低減されるように、光検出値を補正することにより、補正検出値を取得可能な補正手段と、を有し、補正手段は、現在の温度検出値に基づいて現在の光検出値を補正することにより、現在の補正検出値を取得する第１処理と、過去の光検出値と過去の補正検出値との少なくとも一方、過去の温度検出値、及び、現在の温度検出値に基づいて、現在の補正検出値を取得する第２処理と、を切り替えて実行する。【選択図】図１
2018022623.tif 000002
【特許請求の範囲】
【請求項１】
光源部と、
前記光源部から発せられた光を検出し、前記光源部から発せられた光の検出結果である光検出値を出力する光センサと、
前記光センサに対応する温度を検出し、前記光センサに対応する温度の検出結果である温度検出値を出力する温度センサと、
前記温度検出値に基づいて、前記光センサの温度変化に起因した前記光検出値の変化が低減されるように、前記光検出値を補正することにより、補正検出値を取得可能な補正手段と、
を有し、
前記補正手段は、
現在の温度検出値に基づいて現在の光検出値を補正することにより、現在の補正検出値を取得する第１処理と、
過去の光検出値と過去の補正検出値との少なくとも一方、過去の温度検出値、及び、現在の温度検出値に基づいて、現在の補正検出値を取得する第２処理と、
を切り替えて実行する
ことを特徴とする発光装置。
【請求項２】
前記光センサは、前記補正手段によって前記第２処理が行われる場合に、前記光源部から発せられた光を検出する処理を省略する
ことを特徴とする請求項１に記載の発光装置。
【請求項３】
前記光検出値と前記補正検出値の少なくとも一方、及び、前記温度検出値を、記憶部に記録する記録手段、をさらに有する
ことを特徴とする請求項１または２に記載の発光装置。
【請求項４】
前記記録手段は、前記補正手段によって前記第１処理が行われる場合に、前記光検出値と前記補正検出値の少なくとも一方、及び、前記温度検出値を、前記記憶部に記録する
ことを特徴とする請求項３に記載の発光装置。
【請求項５】
前記過去の光検出値、前記過去の補正検出値、及び、前記過去の温度検出値は、前回の検出値である
ことを特徴とする請求項１〜４のいずれか１項に記載の発光装置。
【請求項６】
前記第２処理では、過去の温度検出値、現在の温度検出値、及び、過去の光検出値に基づいて、現在の補正検出値が取得される
ことを特徴とする請求項１〜５のいずれか１項に記載の発光装置。
【請求項７】
前記温度検出値と、前記光検出値を補正する補正値との対応関係として、前記温度検出値の複数の範囲にそれぞれ対応する複数の対応関係が予め定められており、
前記第２処理では、
過去の温度検出値に対応する対応関係と、現在の温度検出値に対応する対応関係とに近似した近似関係に従って、現在の温度検出値に対応する補正値が決定され、
決定された補正値を用いて過去の光検出値を補正することにより、現在の補正検出値が取得される
ことを特徴とする請求項６に記載の発光装置。
【請求項８】
前記第１処理では、
現在の温度検出値に対応する対応関係に従って、現在の温度検出値に対応する補正値
が決定され、
決定された補正値を用いて現在の光検出値を補正することにより、現在の補正検出値が取得される
ことを特徴とする請求項７に記載の発光装置。
【請求項９】
前記第２処理では、過去の温度検出値と過去の補正検出値とに基づいて、過去の光検出値が逆算される
ことを特徴とする請求項６〜８のいずれか１項に記載の発光装置。
【請求項１０】
前記第１処理を行うタイミングと、前記第２処理を行うタイミングとが予め定められている
ことを特徴とする請求項１〜９のいずれか１項に記載の発光装置。
【請求項１１】
前記光源部の発光を制御する制御手段と、
前記光源部の発光状態に基づいて、前記光源部から発せられた光が検出可能であるか否かを判断する判断手段と、
をさらに有し、
前記補正手段は、
前記第１処理を行う前記タイミングにおいて、前記光源部から発せられた光が検出可能である、と前記判断手段によって判断された場合に、前記第１処理を行い、
前記第１処理を行う前記タイミングにおいて、前記光源部から発せられた光が検出可能でない、と前記判断手段によって判断された場合に、前記第２処理を行い、
前記第２処理を行う前記タイミングにおいて、前記判断手段の判断結果に拘らずに前記第２処理を行う
ことを特徴とする請求項１０に記載の発光装置。
【請求項１２】
前記光源部の発光を制御する制御手段と、
前記光源部の発光状態に基づいて、前記光源部から発せられた光が検出可能であるか否かを判断する判断手段と、
をさらに有し、
前記補正手段は、
前記光源部から発せられた光が検出可能である、と前記判断手段によって判断された場合に、前記第１処理を行い、
前記光源部から発せられた光が検出可能でない、と前記判断手段によって判断された場合に、前記第２処理を行う
ことを特徴とする請求項１〜９のいずれか１項に記載の発光装置。
【請求項１３】
前記判断手段は、
前記光源部の１回の点灯時間が閾値以上である場合に、前記光源部から発せられた光が検出可能である、と判断し、
前記光源部の前記１回の点灯時間が前記閾値未満である場合に、前記光源部から発せられた光が検出可能でない、と判断する
ことを特徴とする請求項１１または１２に記載の発光装置。
【請求項１４】
複数の光源部を有し、
前記光センサの処理、前記温度センサの処理、及び、前記補正手段の処理は、前記複数の光源部のそれぞれについて個別に行われる
ことを特徴とする請求項１〜１３のいずれか１項に記載の発光装置。
【請求項１５】
請求項１〜１４のいずれか１項に記載の発光装置と、
前記発光装置から発せられた光を変調することで画像を表示する表示部と、
を有することを特徴とする表示装置。
【請求項１６】
光源部と、
前記光源部から発せられた光を検出し、前記光源部から発せられた光の検出結果である光検出値を出力する光センサと、
前記光センサに対応する温度を検出し、前記光センサに対応する温度の検出結果である温度検出値を出力する温度センサと、
を有する発光装置の制御方法であって、
前記温度検出値に基づいて、前記光センサの温度変化に起因した前記光検出値の変化が低減されるように、前記光検出値を補正することにより、補正検出値を取得可能な補正ステップ、
を有し、
前記補正ステップでは、
現在の温度検出値に基づいて現在の光検出値を補正することにより、現在の補正検出値を取得する第１処理と、
過去の光検出値と過去の補正検出値との少なくとも一方、過去の温度検出値、及び、現在の温度検出値に基づいて、現在の補正検出値を取得する第２処理と、
を切り替えて実行する
ことを特徴とする制御方法。
【請求項１７】
請求項１６に記載の制御方法の各ステップをコンピュータに実行させるためのプログラム。
【発明の詳細な説明】
【技術分野】
【０００１】
本発明は、発光装置および表示装置に関する。
【背景技術】
【０００２】
液晶表示装置に関する制御として、「ローカルディミング制御」と呼ばれる制御がある。ローカルディミング制御では、画像データに基づいて、バックライトユニットが有する複数の光源部のそれぞれの発光輝度（発光量）が個別に制御される。ローカルディミング制御を行うことにより、表示画像（画面に表示された画像）のコントラストを向上することができる。
【０００３】
ローカルディミング制御が行われた場合には、複数の光源部の間において、光源部の劣化度合いのばらつき、光源部の温度のばらつき、等が生じる。そして、光源部からの光は、光源部の劣化度合い、光源部の温度、等に依存する。そのため、光源部からの光として所望の光を得るためには、光源部からの光を検出し、光源部からの光の検出値に基づいて光源部の発光を制御する必要がある。
【０００４】
光源部からの光を検出するためには、光源部は、所定時間以上の時間だけ点灯し続けなければならない。上記所定時間は、例えば、図６に示すように、光源部からの光を検出する光センサの応答時間と、光センサの出力信号を処理する処理回路（マイクロコンピュータなど）の処理時間との合計時間である。具体的には、光センサの回路には、抵抗、コンデンサ、オペアンプ、等が設けられおり、光センサの応答時間は、抵抗の応答時間、コンデンサの応答時間、オペアンプの応答時間、等を含む。光センサの応答時間は、「光センサによる光のチャージに要する時間」とも言えるし、「光センサの検出値の飽和に要する時間」とも言える。処理回路の処理時間は、具体的には、光センサの出力信号（アナログ信号）をデジタル信号に変換するＡ／Ｄ変換処理に要する時間である。
【０００５】
ここで、図７に示すようなパルス信号が光源部に入力され、且つ、パルス信号に応じて光源部が発光する場合を考える。この場合には、光センサの検出値（光源部の発光輝度に対応する検出値）として、パルス信号の波高値（パルス振幅）に応じた値が得られる。そして、光源部の経年劣化度合いの変化、光源部の温度の変化、等が生じず、且つ、上記所定時間以上の点灯時間（パルス信号のパルス幅）が設定されているならば、光センサの検出値として、いつも同じ値（点灯時間に依存しない値）を得ることができる。
【０００６】
光源部からの光の検出に関する従来技術は、例えば、特許文献１に開示されている。特許文献１に開示の技術では、画像データの１フレーム期間が、複数のサブフレーム期間に分割される。そして、バックライトユニットの明滅感が低減され、且つ、所定時間以上の点灯時間が確保されるように、複数のフレーム期間のそれぞれについて、バックライトユニットの点灯期間が個別に設定される。具体的には、或るサブフレームにおける点灯期間が増やされた場合に、他のサブフレームにおける点灯時間が低減される。
【０００７】
しかしながら、特許文献１に開示の技術などの従来技術を用いても、光源部からの光を検出できない（光源部からの光の検出値を取得できない）ことがある。
【０００８】
例えば、近年、ダイナミックレンジが広い画像を表示可能な表示装置が注目されている。広いダイナミックレンジは「Ｈｉｇｈ  Ｄｙｎａｍｉｃ  Ｒａｎｇｅ（ＨＤＲ）」などと呼ばれ、ダイナミックレンジが広い画像は「ＨＤＲ画像」などと呼ばれ、ＨＤＲ画像を表示可能な表示装置は「ＨＤＲ表示装置」などと呼ばれる。ＨＤＲ表示装置では、白色の
表示輝度（画面上の輝度）が高められるだけでなく、黒色の表示輝度が低減される。そして、黒色の表示輝度を低減するために、バックライトユニットが消灯させられたり、バックライトユニットの発光輝度が非常に低い発光輝度に制御されたりする。そのため、黒色の表示輝度を維持しながら十分に長い点灯時間を確保できないことがある。その結果、光源部からの光を検出できないことがある。
【０００９】
また近年、表示画像のコントラストを向上するために、光源部の数が増している。そして、各光源部からの光を個別に検出する処理に要する時間は、光源部の数の増加により増加する。そのため、光源部の数が多い場合には、全ての光源部について光源部からの光の検出が完了するまでに、光源部の温度が変化し、検出値の精度が低下してしまう。
【先行技術文献】
【特許文献】
【００１０】
【特許文献１】特開２０１４−２４１２７７号公報
【発明の概要】
【発明が解決しようとする課題】
【００１１】
本発明は、光源部からの光の検出値として高精度な検出値をより確実に得ることができる技術を提供することを目的とする。
【課題を解決するための手段】
【００１２】
本発明の第１の態様は、
光源部と、
前記光源部から発せられた光を検出し、前記光源部から発せられた光の検出結果である光検出値を出力する光センサと、
前記光センサに対応する温度を検出し、前記光センサに対応する温度の検出結果である温度検出値を出力する温度センサと、
前記温度検出値に基づいて、前記光センサの温度変化に起因した前記光検出値の変化が低減されるように、前記光検出値を補正することにより、補正検出値を取得可能な補正手段と、
を有し、
前記補正手段は、
現在の温度検出値に基づいて現在の光検出値を補正することにより、現在の補正検出値を取得する第１処理と、
過去の光検出値と過去の補正検出値との少なくとも一方、過去の温度検出値、及び、現在の温度検出値に基づいて、現在の補正検出値を取得する第２処理と、
を切り替えて実行する
ことを特徴とする発光装置である。
【００１３】
本発明の第２の態様は、
本発明の第１の態様である発光装置と、
前記発光装置から発せられた光を変調することで画像を表示する表示部と、
を有することを特徴とする表示装置である。
【００１４】
本発明の第３の態様は、
光源部と、
前記光源部から発せられた光を検出し、前記光源部から発せられた光の検出結果である光検出値を出力する光センサと、
前記光センサに対応する温度を検出し、前記光センサに対応する温度の検出結果である温度検出値を出力する温度センサと、
を有する発光装置の制御方法であって、
前記温度検出値に基づいて、前記光センサの温度変化に起因した前記光検出値の変化が低減されるように、前記光検出値を補正することにより、補正検出値を取得可能な補正ステップ、
を有し、
前記補正ステップでは、
現在の温度検出値に基づいて現在の光検出値を補正することにより、現在の補正検出値を取得する第１処理と、
過去の光検出値と過去の補正検出値との少なくとも一方、過去の温度検出値、及び、現在の温度検出値に基づいて、現在の補正検出値を取得する第２処理と、
を切り替えて実行する
ことを特徴とする制御方法。
【００１５】
本発明の第４の態様は、本発明の第３の態様である制御方法の各ステップをコンピュータに実行させるためのプログラムである。
【発明の効果】
【００１６】
本発明によれば、光源部からの光の検出値として高精度な検出値をより確実に得ることができる。
【図面の簡単な説明】
【００１７】
【図１】実施例１に係る発光装置の構成例を示すブロック図
【図２】実施例１に係る発光装置の処理フローの一例を示すフローチャート
【図３】実施例１に係る補正関係と温度検出範囲の一例を示す図
【図４】実施例２に係る発光装置の構成例を示すブロック図
【図５】実施例２に係る発光装置の処理フローの一例を示すフローチャート
【図６】光源部からの光の検出に要する時間の一例を示す図
【図７】光源部に入力されるパルス信号の一例を示す図
【発明を実施するための形態】
【００１８】
＜実施例１＞
以下、本発明の実施例１について説明する。本実施例に係る発光装置は、例えば、透過型の液晶表示装置用のバックライトユニットとして使用することができる。なお、本実施例に係る発光装置はバックライトユニットに限られない。本実施例に係る発光装置は、発光装置から発せられた光を変調することで画像を表示する表示部を有する表示装置であれば、どのような表示装置でも使用することができる。例えば、本実施例に係る発光装置は、反射型の液晶表示装置でも使用することができる。本実施例に係る発光装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置でも使用することができる。本実施例に係る発光装置は、広告標識装置、標識表示装置、等の表示装置でも使用することができる。本実施例に係る発光装置は、街灯、室内照明、顕微鏡照明などの照明装置として使用することもできる。
【００１９】
図１は、本実施例に係る発光装置の構成例を示すブロック図である。図１を用いて、本実施例に係る発光装置の各機能部について説明する。
【００２０】
光源部８は光を発する。光源部８は、光を発する光源（発光素子）を１つ以上有する。光源としては、発光ダイオード、有機ＥＬ素子、冷陰極管、等を使用することができる。
【００２１】
光センサ１は、光源部８から発せられた光を検出（測定）し、光検出値（光源部８から
発せられた光の検出結果）をＡ／Ｄ変換器３へ出力する。本実施例では、光センサ１は、光源部８から発せられた光の輝度を検出する。なお、光センサ１として、光源部８から発せられた光の色を検出するセンサ、光源部８から発せられた光の輝度と色を検出するセンサ、等が使用されてもよい。
【００２２】
温度センサ２は、光センサ１に対応する温度（光センサ１の温度と略同一の温度）を検出し、温度検出値（光センサ１に対応する温度の検出結果）を光検出値補正部４へ出力する。「略同一」は「完全同一」を含む。例えば、温度センサ２は、光センサ１の近傍に配置される。温度検出値は、光センサ１の温度変化に起因した光検出値の変化を低減するために使用される。具体的には、光センサ１は、「光源部８から発せられる光と、光検出値との相対的な関係が、光センサ１の温度に依存する」という温度特性を有する。そして、温度検出値は、光センサ１の温度変化に起因した上記相対的な関係の変化を低減するために使用される。
【００２３】
光センサ１は、アナログ値である光検出値をＡ／Ｄ変換器３へ出力する。Ａ／Ｄ変換器３は、光センサ１から出力されたアナログ値をデジタル値に変換する。それにより、デジタル値である光検出値が得られる。Ａ／Ｄ変換器３は、デジタル値である光検出値を光検出値補正部４へ出力する。
【００２４】
光検出値補正部４は、温度センサ２から出力された温度検出値に基づいて、光センサ１の温度変化に起因した光検出値の変化が低減されるように、Ａ／Ｄ変換器３から出力された光検出値を補正することにより、補正検出値を取得可能である。補正検出値は、補正後の光検出値である。以後、補正前の光検出値を「光検出値」と記載し、補正後の光検出値を「補正検出値」と記載する。光検出値補正部４は、発光装置の外部、所定の機能部、等へ、補正検出値を出力する。補正検出値は、例えば、光源部８の発光（発光輝度、発光色、等）を制御するために使用される。本実施例では、光検出値補正部４から、光検出可否判断部７を介して、発光装置の外部、所定の機能部、等へ、補正検出値が出力される。なお、光検出値補正部４から、光検出可否判断部７を介さずに、発光装置の外部、所定の機能部、等へ、補正検出値が直接出力されてもよい。
【００２５】
また、光検出値補正部４は、温度センサ２から出力された温度検出値と、補正検出値とを、検出値記憶部５に記録する。本実施例では、光検出値補正部４は、光検出可否判断部７を介して検出値記憶部５に検出値を記録する。なお、光検出値補正部４は、光検出可否判断部７を介さずに検出値記憶部５に検出値を直接記録してもよい。検出値記憶部５としては、半導体メモリ、磁気ディスク、光ディスク、等を使用することができる。なお、検出値記憶部５は、発光装置に内蔵されていてもよいし、発光装置に対して着脱可能に構成されていてもよい。
【００２６】
発光制御部６は、光源部８を駆動する駆動信号を光源部８へ出力することにより、光源部８の発光を制御する。また、発光制御部６は、光源部８の発光状態に関する情報（発光情報）を光検出可否判断部７へ出力する。本実施例では、駆動信号としてパルス信号が使用され、パルス信号のパルス幅を変更することにより光源部８の発光（発光量、１回の点灯時間、等）を変更するＰＷＭ制御が行われる。そして、発光情報として、パルス幅を示すＰＷＭ値が使用される。なお、駆動信号、光源部８の発光の制御方法、発光情報、等は特に限定されない。例えば、駆動信号であるパルス信号のパルス振幅を変更することにより光源部８の発光を変更することができる。
【００２７】
光検出可否判断部７は、光源部８の発光状態に基づいて、光源部８から発せられた光が検出可能であるか否かを判断する。具体的には、光検出可否判断部７は、発光制御部６から出力された発光情報（ＰＷＭ値）に基づいて、光源部８から発せられた光が検出可能で
あるか否かを判断する。そして、光検出可否判断部７は、光源部８から発せられた光が検出可能であるか否かの判断結果を、光検出値補正部４へ出力する。
【００２８】
光源部８から発せられた光が検出可能であるか否かの判断方法は特に限定されない。本実施例では、ＰＷＭ値（光源部８の１回の点灯時間）が閾値以上である場合に、光検出可否判断部７は、「光源部８から発せられた光が検出可能である」と判断する。そして、ＰＷＭ値が上記閾値未満である場合に、光検出可否判断部７は、「光源部８から発せられた光が検出可能でない」と判断する。なお、上記閾値は、メーカーによって予め定められた固定値であってもよいし、ユーザーが変更可能な値であってもよい。
【００２９】
本実施例では、光検出値補正部４は、以下の第１処理と、以下の第２処理とを切り替えて実行する。具体的には、「光源部８から発せられた光が検出可能である」と光検出可否判断部７によって判断された場合に、光検出値補正部４は、第１処理を行う。そして、「光源部８から発せられた光が検出可能でない」と光検出可否判断部７によって判断された場合に、光検出値補正部４は、第２処理を行う。「過去の補正検出値」と「過去の温度検出値」は互いに対応する。具体的には、「過去の補正検出値」は、「過去の温度検出値」を用いて得られた補正検出値である。換言すれば、「過去の温度検出値」は、「過去の補正検出値」を得るために使用された温度検出値である。
第１処理：現在の温度検出値に基づいて現在の光検出値を補正することにより、現在の補正検出値を取得する処理
第２処理：過去の補正検出値と過去の温度検出値とを検出値記憶部５から読み出し、読み出した過去の検出値と、現在の温度検出値とに基づいて、現在の補正検出値を取得する処理
【００３０】
本実施例では、光検出値補正部４は、光検出可否判断部７を介して検出値記憶部５から過去の検出値を読み出す。なお、光検出値補正部４は、光検出可否判断部７を介さずに検出値記憶部５から過去の検出値を直接読み出してもよい。
【００３１】
なお、第１処理と第２処理の間で処理を切り替えるタイミングは、特に限定されない。例えば、ユーザーからの指示に応じて処理が切り替えられてもよいし、第１処理と第２処理とが交互に実行されてもよい。また、発光装置が発光制御部６を有さずに、光源部８の発光状態（駆動信号）が固定されていてもよい。例えば、光源部８の１回の点灯時間が、上記閾値以上の時間に固定されていてもよい。処理を切り替えるタイミングが光検出可否判断部７の判断結果に依存しない場合には、発光装置は、光検出可否判断部７、発光制御部６、等を有していなくてもよい。
【００３２】
なお、光源部８の数は特に限定されない。発光装置は、光源部８を１つだけ有していてもよいし、複数の光源部８を有していてもよい。発光装置が複数の光源部８を有する場合には、例えば、図１に示す各機能部の処理は、複数の光源部８のそれぞれについて個別に行われる。発光装置が複数の光源部８を有する場合において、図１に示す各機能部の処理は、複数の光源部８の一部についてのみ行われてもよい。発光装置は、複数の光センサ１を有していてもよいし、複数の温度センサ２を有していてもよい。光源部８と光センサ１は、１対１で対応していてもよいし、１対多で対応していてもよいし、多対１で対応していてもよい。光センサ１と温度センサ２は、１対１で対応していてもよいし、１対多で対応していてもよいし、多対１で対応していてもよい。
【００３３】
図２は、本実施例に係る発光装置の処理フローの一例を示すフローチャートである。図２を用いて、本実施例に係る発光装置の処理フローについて説明する。発光装置が光源部
８を１つだけ有する場合には、当該光源部８が、図２の処理フローの処理対象として選択される。発光装置が複数の光源部８を有する場合には、例えば、複数の光源部８のそれぞれが、図２の処理フローの処理対象として順に選択される。
【００３４】
まず、Ｓ１にて、光検出可否判断部７が、処理対象の光源部８（対象光源部）に対応するＰＷＭ値を発光制御部６から取得し、取得したＰＷＭ値を閾値と比較する。取得されたＰＷＭ値（対象光源部の１回の点灯時間）が閾値以上である場合には、光検出可否判断部７は、「対象光源部から発せられた光が検出可能である」と判断する。そして、Ｓ２へ処理が進められ、Ｓ２〜Ｓ４の処理が行われる。取得されたＰＷＭ値が閾値未満である場合には、光検出可否判断部７は、「対象光源部から発せられた光が検出可能でない」と判断する。そして、Ｓ５へ処理が進められ、Ｓ５の処理が行われる。
【００３５】
Ｓ２にて、光検出値補正部４は、第１処理を行う。具体的には、Ｓ２にて、光センサ１が、対象光源部から発せられた光の輝度を検出し、現在の光検出値（アナログ値）をＡ／Ｄ変換器３へ出力する。そして、Ａ／Ｄ変換器３が、光センサ１から出力されたアナログ値をデジタル値に変換し、得られたデジタル値（現在の光検出値）を光検出値補正部４へ出力する。また、温度センサ２が、光センサ１（対象光源部から発せられた光の輝度を検出する光センサ１）に対応する温度を検出し、現在の温度検出値を光検出値補正部４へ出力する。そして、光検出値補正部４が、現在の温度検出値に基づいて現在の光検出値を補正することにより、現在の補正検出値を取得する。
【００３６】
なお、発光装置が複数の光源部８を有する場合には、発光制御部６は、対象光源部のみを点灯させたり、対象光源部の周囲の光源部８（例えば、対象光源部からの距離が閾値以下の光源部８）を消灯させたりしてもよい。そして、そのような点灯状態で、光センサ１が、対象光源部から発せられた光の輝度を検出してもよい。
【００３７】
第１処理の具体的な方法は特に限定されないが、本実施例では、第１処理として、以下の処理が行われる。本実施例では、図３に示すように、温度検出値と、光検出値を補正する補正値との対応関係（補正関係）として、温度検出値の複数の範囲（温度検出範囲）にそれぞれ対応する複数の対応関係が予め定められている。具体的には、複数の補正関係にそれぞれ対応する複数の関数（補正関係を示す関数）が、不図示の記憶部に予め記録されている。図３には、４つの温度検出範囲Ｒ１〜Ｒ４にそれぞれ対応する複数の補正関係Ｃ１〜Ｃ４が示されている。なお、温度検出範囲の数は、４つより多くてもよいし、４つより少なくてもよい。同様に、補正関係の数は、４つより多くてもよいし、４つより少なくてもよい。
【００３８】
光検出値補正部４は、現在の温度検出値に対応する補正関係に従って、現在の温度検出値に対応する補正値を決定する。ここで、現在の温度検出値が図３の温度検出値Ｔ１である場合を考える。温度検出値Ｔ１は、温度検出範囲Ｒ２に含まれている。この場合には、温度検出範囲Ｒ２対応する補正関係Ｃ２に従って、図３の補正値Ｇ１が、温度検出値Ｔ１に対応する補正値として決定される。
【００３９】
そして、光検出値補正部４は、決定した補正値を用いて現在の光検出値を補正することにより、現在の補正検出値を取得する。本実施例では、補正値として、光検出値に乗算されるゲイン値が使用される。そして、光検出値補正部４は、決定したゲイン値を現在の光検出値に乗算することにより、現在の補正検出値を算出する。
【００４０】
なお、現在の温度検出値に対応する補正値の判断方法は、特に限定されない。例えば、代表的な複数の温度検出値と、当該複数の温度検出値にそれぞれ対応する複数の補正値とを示すテーブルが、不図示の記憶部に予め記録されていてもよい。そして、テーブルによ
って示された温度検出値と補正値を用いた補間処理（例えば線形補間処理）によって、複数の補正関係、現在の温度検出値に対応する補正値、等が判断されてもよい。
【００４１】
図３には、代表的な温度検出値と、当該温度検出値に対応する補正値との組み合わせである代表点として、５つの代表点Ｐ１〜Ｐ５が示されている。そして、５つの代表点Ｐ１〜Ｐ５は、温度検出範囲の上限または下限である５つの温度検出値に対応する。しかしながら、代表的な温度検出値、代表点の数、等は特に限定されない。例えば、１つの温度検出範囲を複数の範囲に分割する複数の温度検出値が、代表的な温度検出値として使用されてもよい。代表点の数は、５つより多くてもよいし、５つより少なくてもよい。
【００４２】
なお、補正値は、ゲイン値に限られない。例えば、補正値として、光検出値に加算されるオフセット値が使用されてもよい。また、温度検出値の変化に対して補正値が線形に変化する補正関係が図３に示されているが、補正関係はこれに限られない。例えば、補正関係として、温度検出値の変化に対して補正値が非線形に変化する対応関係が使用されてもよい。
【００４３】
Ｓ２の次に、Ｓ３にて、光検出値補正部４が、現在の補正検出値と現在の温度検出値とを、光検出可否判断部７を介して検出値記憶部５に記録する。そして、Ｓ４へ処理が進められる。Ｓ４にて、光検出値補正部４が、光検出可否判断部７を介して、発光装置の外部、所定の機能部、等へ、現在の補正検出値を出力する。なお、Ｓ３の処理よりも前にＳ４の処理が行われてもよいし、Ｓ３の処理とＳ４の処理とが並列に行われてもよい。
【００４４】
Ｓ５にて、光検出値補正部４は、第２処理を行う。具体的には、Ｓ５にて、温度センサ２が、光センサ１（対象光源部から発せられた光の輝度を検出する光センサ１）に対応する温度を検出し、現在の温度検出値を光検出値補正部４へ出力する。光センサ１は、対象光源部から発せられた光の輝度を検出する処理を省略する。そして、光検出値補正部４が、前回の補正検出値と前回の温度検出値とを、光検出可否判断部７を介して検出値記憶部５から読み出す。その後、光検出値補正部４が、前回の補正検出値、前回の温度検出値、及び、現在の温度検出値に基づいて、現在の補正検出値を取得する。
【００４５】
なお、発光装置が複数の光源部８を有し、且つ、光センサ１の処理が省略される場合には、発光制御部６は、対象光源部のみを点灯させる処理、対象光源部の周囲の光源部８を消灯させる処理、等を省略してもよい。
【００４６】
第２処理の具体的な方法は特に限定されないが、本実施例では、第２処理として、以下の処理が行われる。
【００４７】
光検出値補正部４は、前回の温度検出値と前回の補正検出値とに基づいて、前回の光検出値を逆算する。具体的には、光検出値補正部４は、前回の温度検出値に対応する補正関係に従って、前回の温度検出値に対応するゲイン値（前回のゲイン値）を決定する。そして、光検出値補正部４は、前回のゲイン値で前回の補正検出値を除算することにより、前回の光検出値を算出する。
【００４８】
そして、光検出値補正部４は、前回の温度検出値に対応する補正関係と、現在の温度検出値に対応する補正関係とに近似した近似関係に従って、現在の温度検出値に対応するゲイン値を決定する。ここで、前回の温度検出値が図３の温度検出値Ｔ１であり、且つ、現在の温度検出値が図３の温度検出値Ｔ２である場合を考える。温度検出値Ｔ１は温度検出範囲Ｒ２に含まれており、温度検出値Ｔ２は温度検出範囲Ｒ１に含まれている。この場合には、図３の近似関係ＣＡに従って、図３のゲイン値Ｇ２が、現在の温度検出値Ｔ２に対応するゲイン値として決定される。近似関係ＣＡは、温度検出範囲Ｒ１対応する補正関係
Ｃ１と、温度検出範囲Ｒ２対応する補正関係Ｃ２とを近似する近似関係であり、近似関係ＣＡの関数は、代表点Ｐ１と代表点Ｐ２を通る一次関数である。
【００４９】
その後、光検出値補正部４は、決定されたゲイン値（現在の温度検出値に対応するゲイン値）を前回の光検出値に乗算することにより、現在の補正検出値を取得（算出）する。
【００５０】
対象光源部の温度変化、光センサ１の温度変化、等が生じなければ、短い期間において一定の光検出値（略同一の複数の光検出値）を得ることができる。そのため、前回の光検出値、前回の温度検出値、及び、現在の温度検出値を用いることにより、現在の補正検出値を高精度に得る（推定する）ことができる。
【００５１】
なお、本実施例では、第２処理が行われる場合に光センサ１の処理が省略されるが、光センサ１の処理は省略されなくてもよい。但し、そのため、第２処理が行われる場合に光センサ１の処理が省略されれば、発光装置の処理負荷を低減することができる。
【００５２】
なお、本実施例では、「過去の検出値」として「前回の検出値」が使用されるが、「過去の検出値」は「前回の検出値」でなくてもよい。例えば、「過去の検出値」として、現在から所定時間前までの期間に記録された複数の検出値の中からランダムに選択された検出値」が使用されてもよい。但し、「過去の検出値」が得られたタイミングから現在までの時間は短いことが好ましい。
【００５３】
なお、近似関係の決定方法は特に限定されない。例えば、前回の温度検出値が図３の温度検出値Ｔ１であり、且つ、現在の温度検出値が図３の温度検出値Ｔ２である場合において、図３の代表点Ｐ１〜Ｐ３を用いた最小二乗法により、近似関係の関数が算出されてもよい。
【００５４】
なお、光検出値が検出値記憶部５に記録されてもよい。そして、第２処理において、過去の光検出値が検出値記憶部５から読み出されてもよい。その場合には、過去の補正値を取得する処理を省略することができ、処理負荷を低減することができる。補正検出値と光検出値の一方が検出値記憶部５に記録されてもよいし、補正検出値と光検出値の両方が検出値記憶部５に記録されてもよい。第２処理において、過去の補正検出値と過去の光検出値との一方が検出値記憶部５から読み出されて使用されてもよいし、過去の補正検出値と過去の光検出値との両方が検出値記憶部５から読み出されて使用されてもよい。
【００５５】
なお、本実施例では、第１処理が行われる場合にのみ検出値が検出値記憶部５に記録されるが、これに限らない。例えば、第１処理が行われる場合と、第２処理が行わる場合との両方において、検出値の記録が行われてもよい。実行される処理が第１処理であるか第２処理であるかに拘らず、検出値の記録が定期的に行われてもよい。但し、第２処理の精度を向上するために、第１処理で使用された検出値が「過去の検出値」として使用されることが好ましい。
【００５６】
以上述べたように、本実施例によれば、高精度な光検出値が得られる場合に好適な第１処理と、高精度な光検出値が得られない第２処理とが切り替えられて実行される。それにより、高精度な補正検出値をより確実に得ることができる。具体的には、「光検出値が取得可能である」と判断された場合に第１処理が実行され、「光検出値が取得可能でない」と判断された場合に第２処理が実行される。それにより、光検出値が取得できる場合だけでなく、光検出値が取得できない場合においても、高精度な補正検出値を得ることができる。
【００５７】
発光装置を有する表示装置では、黒色の表示輝度（画面上の輝度）を低減するために、
光源部の発光輝度が非常に低い発光輝度に低減されることがある。具体的には、光源部の１回の点灯時間が非常に短い時間に短縮されることがある。また、光源部が消灯させられることもある。そのような場合には、光検出値を取得することはできない。本実施例によれは、そのような場合において、第２処理により、高精度な補正検出値を得ることができる。即ち、黒色の表示輝度を低減しても、高精度な補正検出値を取得することができる。そして、光源部の発光の制御に補正検出値が使用されることにより、表示輝度に依らず、表示された画像の画質を向上したり維持したりすることができる。
【００５８】
＜実施例２＞
以下、本発明の実施例２について説明する。なお、以下では、実施例１と異なる点（構成および処理）について詳しく説明し、実施例１と同じ点についての説明は省略する。
【００５９】
実施例１では、光源部８から発せられた光が検出可能でないと判断された場合に第２処理を行う例を説明した。しかしながら、発光装置が複数の光源部を有する場合において、各光源部からの光を個別に検出する処理に要する時間は、光源部の数の増加により増加する。そして、第１処理で補正検出値が取得される光源部の数が多い場合には、全ての光源部について光源部からの光の検出が完了するまでに長時間を要する。そのため、全ての光源部について光源部からの光の検出が完了するまでに、補正検出値の精度が低下してしまう。また、光源部の発光の制御に補正検出値が使用される場合には、発光装置を有する表示装置の表示画像の画質が劣化してしまう。
【００６０】
第２処理では、光センサ１による検出は不要であるため、第１処理よりも短時間で補正検出値を得ることができる。そこで、本実施例では、第２処理を積極的に行う。それにより、発光装置の処理負荷、発光装置の処理時間、等を低減することができる。その結果、補正検出値の精度の低下、表示画像の画質の劣化、等を抑制することができる。
【００６１】
図４は、本実施例に係る発光装置の構成例を示すブロック図である。図４において、実施例１（図１）と同じ機能部には、実施例１と同じ符号が付されている。図４に示すように、本実施例に係る発光装置は、タイミング情報記憶部９をさらに有する。
【００６２】
本実施例では、第１処理を行うタイミングと、第２処理を行うタイミングとが予め定められている。具体的には、タイミング情報記憶部９には、第１処理を行うタイミングと、第２処理を行うタイミングとに関する情報（タイミング情報）が予め記録されている。タイミング情報記憶部９としては、半導体メモリ、磁気ディスク、光ディスク、等を使用することができる。なお、タイミング情報記憶部９は、発光装置に内蔵されていてもよいし、発光装置に対して着脱可能に構成されていてもよい。
【００６３】
なお、第１処理を行うタイミングと、第２処理を行うタイミングとは、特に限定されない。例えば、１つの光源部８に対して第１処理と第２処理が交互に実行されるように、第１処理を行うタイミングと、第２処理を行うタイミングとが予め定められていてもよい。１つの光源部８に対して第１処理が複数回行われた後に第２処理が１回行われるように、第１処理を行うタイミングと、第２処理を行うタイミングとが予め定められていてもよい。１つの光源部８に対して第１処理が１回行われた後に第２処理が複数回行われるように、第１処理を行うタイミングと、第２処理を行うタイミングとが予め定められていてもよい。１つの光源部８に対して第１処理が複数回行われた後に第２処理が複数回行われるように、第１処理を行うタイミングと、第２処理を行うタイミングとが予め定められていてもよい。
【００６４】
ここで、発光装置が複数の光源部８を有し、且つ、複数の光源部８のそれぞれが対象光源部として順に選択する選択処理が繰り返される場合を考える。この場合には、各光源部
８について、第１処理を行うタイミングと、第２処理を行うタイミングとが予め定められる。例えば、Ｎ回目（Ｎは１以上の整数）の選択処理が行われる場合に、複数の光源部８の一部に対して第１処理が実行され、複数の光源部８の残りに対して第２処理が実行されるように、タイミングが予め定められていてもよい。そして、Ｎ＋１回目の選択処理が行われる場合に、複数の光源部８の一部に対して第２処理が実行され、複数の光源部８の残りに対して第１処理が実行されるように、タイミングが予め定められていてもよい。「複数の光源部８の一部」は、例えば、対象光源部として奇数番目に選択される光源部８である。「複数の光源部８の一部」は、例えば、対象光源部として偶数番目に選択される光源部８である。Ｎ回目の選択処理が行われる場合に、複数の光源部８の全部に対して第１処理が実行され、Ｎ＋１回目の選択処理が行われる場合に、複数の光源部８の全部に対して第２処理が実行されるように、タイミングが予め定められていてもよい。
【００６５】
なお、第２処理が行われるべき光源部８の周囲に、第１処理が行われるべき光源部８が存在することが好ましい。例えば、第２処理が行われるべき光源部８の隣に、第１処理が行われるべき光源部８が存在することが好ましい。第２処理で得られる補正検出値は推定値であるため、第２処理で得られる補正検出値の精度は、第１処理で得られる補正検出値の精度よりも低いことがある。第２処理が行われるべき光源部８の周囲に、第１処理が行われるべき光源部８が存在していれば、第２処理で得られる補正検出値の誤差を目立たなくすることができる。具体的には、補正検出値に基づいて光源部８の発光を制御した場合において、第２処理が実行された光源部８の発光の誤差が、第１処理が実行された周囲の光源部８の発光により目立たなくなる。
【００６６】
なお、タイミング情報は特に限定されない。例えば、タイミング情報として、第１処理を行うタイミングと、第２処理を行うタイミングとを示す情報が使用されてもよい。発光装置が複数の光源部８を有し、且つ、上記選択処理が繰り返される場合において、タイミング情報として、光源部８を対象光源部として選択する順序を示す情報が使用されてもよい。
【００６７】
本実施例では、光検出値補正部４、光検出可否判断部７、または、それらの両方が、タイミング情報記憶部９からタイミング情報を取得し、タイミング情報に基づいて、第１処理を行うタイミングと、第２処理を行うタイミングとを判断する。
【００６８】
本実施例では、光検出可否判断部７は、第１処理を行うタイミングにおいてのみ、光源部８から発せられた光が検出可能であるか否かを判断する。それにより、第２処理を行うタイミングでの判断（光源部８から発せられた光が検出可能であるか否かの判断）が省略されるため、光検出可否判断部７の処理負荷を低減することができる。なお、第１処理を行うタイミングと、第２処理を行うタイミングとの両方において、光源部８から発せられた光が検出可能であるか否かを判断してもよい。
【００６９】
本実施例では、光検出値補正部４は、第１処理を行うタイミングと、第２処理を行うタイミングとを考慮して、第１処理または第２処理を実行する。例えば、光検出値補正部４は、第１処理を行うタイミングで第１処理を実行し、第２処理を行うタイミングで第２処理を行う。本実施例では、光検出値補正部４は、第１処理を行うタイミングにおいて、光検出可否判断部７の判断結果に応じて第１処理または第２処理を行い、第２処理を行うタイミングにおいて、光検出可否判断部７の判断結果に拘らずに第２処理を行う。具体的には、第１処理を行うタイミングにおいて、「光源部８から発せられた光が検出可能である」と判断された場合に、第１処理が行われる。そして、第１処理を行うタイミングにおいて、「光源部８から発せられた光が検出可能でない」と判断された場合に、第２処理が行われる。
【００７０】
図５は、本実施例に係る発光装置の処理フローの一例を示すフローチャートである。図５において、実施例１（図２）と同じ処理には、実施例１と同じ符号が付されている。図５に示すように、本実施例では、Ｓ２−１の処理がさらに行われる。Ｓ２−１にて、光検出値補正部４、光検出可否判断部７、または、それらの両方が、タイミング情報記憶部９が記憶するタイミング情報に基づいて、現在のタイミングが、第１処理を行うタイミングであるか、第２処理を行うタイミングであるかを判断する。現在のタイミングが第１処理を行うタイミングである場合には、Ｓ１へ処理が進められ、実施例１と同様の処理フローが行われる。現在のタイミングが第２処理を行うタイミングである場合には、Ｓ５へ処理が進められ、第２処理が行われる。
【００７１】
以上述べたように、本実施例によれば、第２処理が積極的に行われる。それにより、発光装置の処理負荷、発光装置の処理時間、等を低減することができる。その結果、補正検出値の精度の低下、表示画像の画質の劣化、等を抑制することができる。
【００７２】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７３】
１：光センサ  ２：温度センサ  ４：光検出値補正部  ８：光源部
【図１】
2018022623.tif 000003
【図２】
2018022623.tif 000004
【図３】
2018022623.tif 000005
【図４】
2018022623.tif 000006
【図５】
2018022623.tif 000007
【図６】
2018022623.tif 000008
【図７】
2018022623.tif 000009